(57)【要約】【課題】複数のサーバを切り替えて使用する情報システムにおいて、ユーザに対し通知を必要とする情報を速やかに認識させること。【解決手段】ネットワーク８０に接続された複数のサーバ１０１〜１０ｎを接続可能な第１接続部４４１〜４４ｎと、表示装置２２を含むコンソールユニット２０を接続可能な第２接続部（４６、４８）と、複数のサーバ１０１〜１０ｎのうちネットワークを介してユーザへの通知を要する所定の情報を受信した受信サーバから、所定の情報を受信した旨のコマンドを受信する受信手段３２と、コマンドに基づいて、ユーザに対し受信サーバが所定の情報を受信した旨の通知を行う通知制御及び受信サーバとコンソールユニットとを接続する接続切替制御のうち、少なくとも１つの制御を実行する制御手段３２と、を備えることを特徴とする切替装置３０。【選択図】図１
2014120090.tif 000002
【特許請求の範囲】
【請求項１】
ネットワークに接続された複数のサーバを接続可能な第１接続部と、
表示装置を含むコンソールユニットを接続可能な第２接続部と、
前記複数のサーバのうち前記ネットワークを介してユーザへの通知を要する所定の情報を受信した受信サーバから、前記所定の情報を受信した旨のコマンドを受信する受信手段と、
前記コマンドに基づいて、ユーザに対し前記受信サーバが前記所定の情報を受信した旨の通知を行う通知制御及び前記受信サーバと前記コンソールユニットとを接続する接続切替制御のうち、少なくとも１つの制御を実行する制御手段と、
を備えることを特徴とする切替装置。
【請求項２】
前記受信手段が受信する前記コマンドは、前記サーバと前記第１接続部との間の通信インターフェースに基づいて定められたコマンドであることを特徴とする請求項１に記載の切替装置。
【請求項３】
前記制御手段は、前記切替装置に備えられた通知手段を用いる第１の通知方法及び前記表示装置を用いる第２の通知方法のうち少なくとも１つを用いて、前記通知制御を行うことを特徴とする請求項１に記載の切替装置。
【請求項４】
前記制御手段は、ユーザの入力に基づき、前記第１の通知方法及び前記第２の通知方法のそれぞれを用いるか否かを選択可能であることを特徴とする請求項３に記載の切替装置。
【請求項５】
前記制御手段は、ユーザの入力に基づき、前記通知制御及び前記接続切替制御のそれぞれを行うか否かを選択可能であることを特徴とする請求項１に記載の切替装置。
【請求項６】
前記制御手段は、複数の前記受信サーバから前記コマンドを受信した場合に、前記接続切替制御として、前記複数の受信サーバの表示画面を所定の時間ごとに切り替えながら前記表示装置に表示させる表示切替制御と、前記表示切替制御中にユーザがサーバの選択操作を行った場合に、表示中の前記受信サーバを前記コンソールユニットの接続先として選択する選択制御と、を行うことを特徴とする請求項１に記載の切替装置。
【請求項７】
ネットワークに接続された複数のサーバと、
前記複数のサーバを操作するためのコンソールユニットと、
前記複数のサーバと前記コンソールユニットとの間に接続された切替装置と、を備える情報システムであって、
前記複数のサーバのそれぞれは、前記ネットワークを介して前記ネットワークを介してユーザへの通知を要する所定の情報を受信した場合に、前記切替装置に対し、前記所定の情報を受信した旨のコマンドを送信する送信手段を含み、
前記切替装置は、
前記コマンドを受信する受信手段と、
前記コマンドに基づいて、ユーザに対し前記受信サーバが前記所定の情報を受信した旨の通知を行う通知制御及び前記受信サーバと前記コンソールユニットとを接続する接続切替制御のうち、少なくとも１つの制御を実行する制御手段と、
を含むことを特徴とする情報システム。
【発明の詳細な説明】
【技術分野】
【０００１】
本発明は、複数のサーバを切り替えて使用するための切替装置及び当該切替装置を含む情報システムに関する。
【背景技術】
【０００２】
複数のサーバ（例えば、ＰＣ：Personal Computer）と、これに対応するコンソールユニット（例えば、マウス・キーボード・ディスプレイ）とを、切替装置を介して接続した情報システムが知られている。ユーザは、１つのコンソールユニットを操作し、切替装置により複数のサーバを切り替えて使用することができる。
【先行技術文献】
【特許文献】
【０００３】
【特許文献１】特開２０１０−１０２６８２号公報
【発明の概要】
【発明が解決しようとする課題】
【０００４】
上記の情報システムでは、ユーザが使用するコンソールユニットは、複数のサーバのいずれか１つと接続される。このため、ユーザが使用中でない他のサーバが、ユーザに通知を必要とする所定の情報（例えば、電子メールまたはアップデート情報等）を受信した場合に、ユーザが当該情報を速やかに認識することができないという課題があった。
【０００５】
本発明は上記の課題に鑑みてなされたものであり、複数のサーバを切り替えて使用する情報システムにおいて、ユーザに対し通知を必要とする情報を速やかに認識させることを目的とする。
【課題を解決するための手段】
【０００６】
本発明は、ネットワークに接続された複数のサーバを接続可能な第１接続部と、表示装置を含むコンソールユニットを接続可能な第２接続部と、前記複数のサーバのうち前記ネットワークを介してユーザへの通知を要する所定の情報を受信した受信サーバから、前記所定の情報を受信した旨のコマンドを受信する受信手段と、前記コマンドに基づいて、ユーザに対し前記受信サーバが前記所定の情報を受信した旨の通知を行う通知制御及び前記受信サーバと前記コンソールユニットとを接続する接続切替制御のうち、少なくとも１つの制御を実行する制御手段と、を備えることを特徴とする切替装置である。
【０００７】
上記構成において、前記受信手段が受信する前記コマンドは、前記サーバと前記第１接続部との間の通信インターフェースに基づいて定められたコマンドであることを特徴とする請求項１に記載の切替装置。
【０００８】
上記構成において、前記制御手段は、前記切替装置に備えられた通知手段を用いる第１の通知方法及び前記表示装置を用いる第２の通知方法のうち少なくとも１つを用いて、前記通知制御を行うことを特徴とする請求項１に記載の切替装置。
【０００９】
上記構成において、前記制御手段は、ユーザの入力に基づき、前記第１の通知方法及び前記第２の通知方法のそれぞれを用いるか否かを選択可能であることを特徴とする請求項３に記載の切替装置。
【００１０】
上記構成において、前記制御手段は、ユーザの入力に基づき、前記通知制御及び前記接続切替制御のそれぞれを行うか否かを選択可能であることを特徴とする請求項１に記載の切替装置。
【００１１】
上記構成において、前記制御手段は、複数の前記受信サーバからコマンドを受信した場合に、前記接続切替制御として、前記複数の受信サーバの表示画面を所定の時間ごとに切り替えながら前記表示装置に表示させる表示切替制御と、前記表示切替制御中にユーザがサーバの選択操作を行った場合に、表示中の前記受信サーバを前記コンソールユニットの接続先として選択する選択制御と、を行うことを特徴とする請求項１に記載の切替装置。
【００１２】
本発明は、ネットワークに接続された複数のサーバと、前記複数のサーバを操作するためのコンソールユニットと、前記複数のサーバと前記コンソールユニットとの間に接続された切替装置と、を備える情報システムであって、前記複数のサーバのそれぞれは、前記ネットワークを介して前記ネットワークを介してユーザへの通知を要する所定の情報を受信した場合に、前記切替装置に対し、前記所定の情報を受信した旨のコマンドを送信する送信手段を含み、前記切替装置は、前記コマンドを受信する受信手段と、前記コマンドに基づいて、ユーザに対し前記受信サーバが前記所定の情報を受信した旨の通知を行う通知制御及び前記受信サーバと前記コンソールユニットとを接続する接続切替制御のうち、少なくとも１つの制御を実行する制御手段と、を含むことを特徴とする情報システムである。
【発明の効果】
【００１３】
本発明によれば、複数のサーバを切り替えて使用する情報システムにおいて、ユーザに対し通知を必要とする情報を速やかに認識させることができる。
【図面の簡単な説明】
【００１４】
【図１】情報システムの全体ブロック図である。
【図２】実施例１に係るサーバの制御を示すフローチャートである。
【図３】コマンドの具体例を示す図（その１）である。
【図４】コマンドの具体例を示す図（その２）である。
【図５】実施例１に係る切替装置の制御を示すフローチャートである。
【図６】ＬＥＤによる通知の例を示す図である。
【図７】ＯＳＤによる通知の例を示す図である。
【図８】コマンドを受信した場合の処理の設定画面を示す図である。
【図９】ユーザへの通知方法の設定画面を示す図である。
【図１０】実施例２に係る切替装置の制御を示すフローチャートである。
【図１１】スキャン時間の設定画面を示す図である。
【発明を実施するための形態】
【実施例１】
【００１５】
図１は、実施例１に係る情報システム１００の全体ブロック図である。情報システム１００は、ネットワーク８０に接続された複数のサーバ１０１〜１０ｎと、これを操作するためのコンソールユニット２０、及びサーバ１０１〜１０ｎとコンソールユニット２０との間に接続された切替装置３０を備える。切替装置３０は、複数のサーバ１０１〜１０ｎのうち１つを、コンソールユニット２０と接続し操作可能とする。これにより、ユーザは１組のコンソールユニット２０により、複数のサーバ１０１〜１０ｎを切り替えながら使用することができる。
【００１６】
複数のサーバ１０１〜１０ｎのそれぞれは、制御部１２１〜１２ｎ、記憶部１４１〜１４ｎ、ネットワーク接続部１６１〜１６ｎ、及びサーバ接続部１８１〜１８ｎを備える。制御部１２１〜１２ｎは、種々の情報処理を行う機能を有し、例えばＣＰＵ（Central Processing Unit）、メモリ等から構成される。制御部１２１〜１２ｎは、切替装置３０に対し所定の情報を受信した旨のコマンドを送信する送信手段として機能するが、この点については後段で詳述する。
【００１７】
記憶部１４１〜１４ｎは、各種プログラムを始めとする様々な情報を記憶する機能を有し、例えばＨＤＤ（Hard Disk Drive）、フラッシュメモリ等から構成される。本実施例における情報処理（図２）を制御部１２１〜１２ｎに実行させるためのプログラムも、当該記憶部１４１〜１４ｎに記憶される。
【００１８】
ネットワーク接続部１６１〜１６ｎは、ネットワーク８０（例えば、インターネット）と接続を図るためのインターフェースである。サーバ接続部１８１〜１８ｎは、サーバとの接続を図るための通信インターフェースであり、規格としては例えばＵＳＢ（Universal Serial Bus）またはＰＳ／２を用いることができる。
【００１９】
コンソールユニット２０は、ディスプレイ２２、マウス２４、及びキーボード２６を含む。ディスプレイ２２は、複数のサーバ１０１〜１０ｎから出力された画像データを表示するための表示手段として機能する。ディスプレイ２２には、例えば液晶ディスプレイ、有機ＥＬディスプレイ等を用いることができ、タッチパネルのように入力手段を兼ねた表示手段を用いてもよい。キーボード２６及びマウス２４は、ユーザが複数のサーバ１０１〜１０ｎ及び切替装置３０に対し入力を行うための入力手段として機能するが、他の形態の入力手段を用いることも可能である。
【００２０】
切替装置３０は、メイン制御部３２、サーバ切替制御部３４、ＯＳＤ制御部３６、コンソール制御部３８、ＬＥＤ制御部４０、ＬＥＤ４２、サーバ接続部４４１〜４４ｎ、ディスプレイ接続部４６、及びコンソール接続部４８を備える。上記構成のうち、各制御部（３４〜４０）は、例えばＣＰＵ及びメモリ等から構成される。また、サーバ接続部４４１〜４４ｎは、サーバ１０１〜１０ｎと接続可能なインターフェース（第１接続部）であり、ディスプレイ接続部４６及びコンソール接続部４８は、コンソールユニット２０と接続可能なインターフェース（第２接続部）である。
【００２１】
サーバ切替制御部３４は、コンソールユニット２０と接続するサーバの切り替えを行う。コンソールユニット２０とサーバ（以下、サーバ１０１を例に説明する）が接続されている場合、サーバ１０１から出力された画像信号がディスプレイ２２に表示され、マウス２４及びキーボード２６から入力された信号がサーバ１０１へと入力される。このとき、他のサーバからの信号は、サーバ切替制御部３４によりコンソールユニット２０側へは伝達されない。ただし、後述のスキャンモードでは、コンソールユニット２０により操作可能でない他のサーバからの画像信号を、ディスプレイ２２へと伝達する場合がある。この点については後段で詳述する。
【００２２】
ＯＳＤ制御部３６は、ディスプレイ接続部４６を介して、ディスプレイ２２と接続されている。ＯＳＤ制御部３６は、メイン制御部３２を介してサーバ１０１〜１０ｎから受信した画像信号をディスプレイ２２に伝達する他、ディスプレイ上にＯＳＤ（On Screen Display）画面を表示させることにより、ユーザに対し様々な情報を通知するための通知手段として機能する。コンソール制御部３８は、コンソール接続部４８を介して、マウス２４及びキーボード２６と接続されている。コンソール制御部３８は、マウス２４及びキーボード２６から入力された入力信号を処理し、メイン制御部３２へと出力する。
【００２３】
ＬＥＤ制御部４０は、メイン制御部３２からの司令に応じ、ＬＥＤ４２を点灯または消灯させ、ユーザに対し様々な情報を通知するための通知手段として機能する。ＬＥＤの具体的な構成等については、後段で詳述する。
【００２４】
メイン制御部３２は、上記の各制御部（３４〜４０）に接続され、これらの制御部を制御する機能を有する。また、メイン制御部３２は、本実施例においてサーバ１０１〜１０ｎから所定のコマンドを受信する受信手段、及び受信したコマンドに基づいて所定の制御を行う制御手段として機能する。これらの点については後段で詳述する。
【００２５】
本情報システム１００では、ユーザは１組のコンソールユニット２０により、複数のサーバ１０１〜１０ｎを切り替えながら使用することができる。しかし、ユーザが１つのサーバ（例えば、サーバ１０１）を操作している場合、ディスプレイ２２にはサーバ１０１の表示画面のみが表示される。このため、他のサーバ（サーバ１０２〜１０ｎ）において、ユーザに通知を要する所定の情報（例えばメールの受信やアップデートの情報）を受信した場合、ユーザは現在操作中のサーバの表示画面からは、当該情報を直接認識することができない。このため、ユーザに対し、通知を必要とする所定の情報を速やかに認識させることが必要となる。
【００２６】
図２は、サーバ１０１〜１０ｎの制御を示すフローチャートである（以下、サーバ１０１を例に説明を行うが、他のサーバでも同様の制御が行われる）。最初に、サーバ１０１内の制御部１２１が、ネットワーク８０からユーザに通知を必要とする所定の情報を受信したか否かを判定する（ステップＳ１０）。当該所定の情報の受信があった場合、制御部１２１は、切替装置３０との通信インターフェースの規格がＰＳ／２であるか否かを判定する（ステップＳ１２）。インターフェースの規格がＰＳ／２である場合、制御部１２１は、ＰＳ／２用の特殊コマンドを切替装置３０に送信する（ステップＳ１４）。インターフェースの規格がＰＳ／２でない場合、制御部１２１は、ＵＳＢ用のコマンドを切替装置３０に送信する（ステップＳ１６。
【００２７】
図３は、ＰＳ／２コマンドを用いる場合のシーケンス図である。図４（ａ）はメールを受信した場合の処理を、図４（ｂ）はアップデート情報を受信した場合の処理を、それぞれ示す。ＰＳ／２コマンドは、１バイトのコマンド本体（００ＤＤ）と、１バイトのパラメータ（０ｘ０１、０ｘ０２）から構成される。
【００２８】
図３（ａ）に示すように、メールの受信があった場合、サーバ１０１は切替装置３０に対し、コマンド本体（００ＤＤ）を送信する。切替装置３０は、コマンド本体（００ＤＤ）の受信に対し、ＡＣＫ信号（０ｘＦＡ）を送信する。続いて、サーバ１０１は切替装置３０に対し、メールの受信を示すパラメータ（０ｘ０１）を送信する。切替装置３０は、パラメータ（０ｘ０１）の受信に対し、ＡＣＫ信号（０ｘＦＡ）を送信する。その後、切替装置３０は、所定のメール通知処理を実行する。
【００２９】
図３（ｂ）に示すように、アップデート情報の受信があった場合、サーバ１０１は切替装置３０に対し、コマンド本体（００ＤＤ）を送信する。切替装置３０は、コマンド本体（００ＤＤ）の受信に対し、ＡＣＫ信号（０ｘＦＡ）を送信する。続いて、サーバ１０１は切替装置３０に対し、アップデート情報の受信を示すパラメータ（０ｘ０２）を送信する。切替装置３０は、パラメータ（０ｘ０２）の受信に対し、ＡＣＫ信号（０ｘＦＡ）を送信する。その後、切替装置３０は、所定のアップデート通知処理を実行する。
【００３０】
図４は、ＵＳＢコマンドを用いる場合のシーケンス図である。図４（ａ）はメールを受信した場合の処理を、図４（ｂ）はアップデート情報を受信した場合の処理を、それぞれ示す。ＵＳＢコマンドは、共に８バイトのコマンド本体から構成される。
【００３１】
図４（ａ）に示すように、メールの受信があった場合、サーバ１０１は切替装置３０に対し、コマンド本体（０ｘ４０  ０ｘ０１  ０ｘ０１  ０ｘ００  ０ｘ００  ０ｘ００  ０ｘ００  ０ｘ００）を送信する。切替装置３０は、上記コマンド本体の受信に対し、ＡＣＫ信号（０ｘＦＡ）を送信する。その後、切替装置３０は、所定のメール通知処理を実行する。
【００３２】
図４（ｂ）に示すように、アップデート情報の受信があった場合、サーバ１０１は切替装置３０に対し、コマンド本体（０ｘ４０  ０ｘ０２  ０ｘ０２  ０ｘ００  ０ｘ００  ０ｘ００  ０ｘ００  ０ｘ００）を送信する。切替装置３０は、上記コマンド本体の受信に対し、ＡＣＫ信号（０ｘＦＡ）を送信する。その後、切替装置３０は、所定のアップデート通知処理を実行する。
【００３３】
以上のように、サーバ１０１の制御部１２１は、ネットワーク８０から受信した情報と、切替装置３０との接続インターフェースの種類とに基づいて、最適なコマンドを生成し、切替装置３０に対して送信する。
【００３４】
図５は、切替装置３０の制御を示すフローチャートである。最初に、切替装置３０内のメイン制御部３２が、サーバ１０１〜１０ｎのいずれかからコマンドを受信したか否かの判定を行う（ステップＳ２０）。コマンドの受信があった場合、メイン制御部３２は、サーバの自動切替設定がＯＮとなっているか否かを判定する（ステップＳ２２）。自動切替設定がＯＮの場合、メイン制御部３２は、サーバ切替制御部３４に命令し、コンソールユニット２０の接続先を、コマンドを受信した先のサーバ（以下、「受信サーバ」と称する）へと切り替える（ステップＳ２４）。
【００３５】
次に、メイン制御部３２は、ユーザへの通知設定がＯＮとなっているか否かを判定する（ステップＳ２６）。本実施例では、ユーザへの第１の通知方法として、切替装置３０に備えられたＬＥＤ４２を用い、第２の通知方法として、ディスプレイ２２のＯＳＤ画面表示を用いる。通知設定がＯＮの場合、メイン制御部３２は、通知方法のうちＬＥＤによる通知設定がＯＮとなっているかを判定する（ステップＳ２８）。当該設定がＯＮの場合、メイン制御部３２は、ＬＥＤ制御部４０に命令し、ＬＥＤによりユーザへの通知を行う（ステップＳ３０）。
【００３６】
図６は、ＬＥＤによる通知方法を示す模式図である。切替装置３０の全面には、スイッチ５０、サーバ電源確認ＬＥＤ５２、サーバ選択ＬＥＤ５４、及び通知用ＬＥＤ５６が配置されている。このうち、複数のＬＥＤは、図１のブロック図におけるＬＥＤ４２に対応するものである。スイッチ５０の上方に記載の番号は、サーバが接続されるポートの番号を示す。
【００３７】
スイッチ５０は、ユーザがサーバの選択切替等を行うための入力装置である。サーバ電源確認ＬＥＤ５２は、切替装置３０に接続されたサーバのうち、電源がＯＮとなっているサーバを点灯により示す構成である。サーバ選択ＬＥＤ５４は、切替装置３０に接続されたサーバのうち、ユーザにより選択された（すなわち、コンソールユニット２０と接続され操作の対象となっている）サーバを点灯により示す構成である。通知用ＬＥＤ５６は、切替装置３０に接続されたサーバのうち、所定の情報を受信した受信サーバを点灯により示す構成であり、本実施例の通知手段に該当する。
【００３８】
図６の例では、番号が１〜８までのサーバのうち、２、３、４、６、８の５つに対応するサーバ電源確認ＬＥＤ５２が点灯し、電源が投入されていることが表示されている。また、上記サーバのうち番号が６のサーバに対応するサーバ選択ＬＥＤ５４が点灯し、ユーザにより選択されていることが表示されている。そして、上記サーバのうち番号が３のサーバに対応する通知用ＬＥＤ５６が点灯し、ユーザに通知を要する所定の情報の受信があったことが表示されている。このように、ユーザが番号の異なるサーバを操作している場合でも、切替装置３０における通知用ＬＥＤ５６の表示により、ユーザに対し必要な情報を速やかに認識させることができる。
【００３９】
再び図５のステップＳ３０の後段に戻り、メイン制御部３２は、通知方法のうちＯＳＤによる通知設定がＯＮとなっているかを判定する（ステップＳ３２）。当該設定がＯＮの場合、メイン制御部３２は、ＯＳＤ制御部３６に命令し、ＯＳＤによりユーザへの通知を行う（ステップＳ３４）。
【００４０】
図７は、ＯＳＤによる通知方法を示す模式図である。ディスプレイ２２には、現在選択中のサーバからの画像信号（表示画面）が表示されているが、その中央部のＯＳＤ領域２２ａには、ＯＳＤによるユーザへの通知が表示されている。図示するように、サーバ１についてはメールの受信があった旨が、サーバ２についてはメールとアップデート情報の両方の受信があった旨が、サーバ３についてはアップデート情報の受信があった旨が、それぞれ表示されている。このように、ユーザが現在操作中のサーバの表示画面中に、所定の情報の受信を示すＯＳＤ画面を表示させることにより、ユーザに対し当該情報を速やかに認識させることができる。
【００４１】
図８は、図５のステップＳ２２及びＳ２６に対応する処理の設定画面である。ＯＳＤ領域２２ａには、切替装置３０がサーバからコマンドを受信した場合に、「通知のみを行う」「通知及び自動切り替えを行う」「自動切り替えのみを行う」の３つの選択肢が表示されている。ユーザは、例えばマウス２４によるカーソル操作やキーボード２６からの入力により、任意の設定を選択することができる。これにより、ユーザは好みの方法で、サーバが必要な情報を受信した旨を認識することができるため、ユーザにとっての利便性を向上させることができる。
【００４２】
図９は、図５のステップＳ２８及びＳ３２に対応する通知方法の設定画面である。ＯＳＤ領域２２ａには、切替装置３０からユーザに対する通知の方法として、「ＬＥＤのみによる通知（第１の通知方法）」「ＯＳＤのみによる通知（第２の通知方法）」「ＬＥＤ及びＯＤＳによる通知（第１と第２の通知方法の両方）」の３つの選択肢が表示されている。ユーザは、例えばマウス２４によるカーソル操作やキーボード２６からの入力により、任意の設定を選択することができる。これにより、ユーザは好みの方法で、サーバが必要な情報を受信した旨の通知を受けることができるため、ユーザにとっての利便性を向上させることができる。
【００４３】
以上のように、実施例１に係る情報システム１００によれば、複数のサーバ１０１〜１０ｎのうちネットワーク８０からユーザへの通知を必要とする所定の情報を受信した受信サーバが、切替装置３０に対して当該所定の情報を受信した旨のコマンドを送信する。そして、切替装置３０において、ユーザに対し受信サーバの通知を行う通知制御（図５のステップＳ２６〜Ｓ３４）、及び受信サーバへの接続を自動で切り替える接続切替制御（図５のステップＳ２２〜Ｓ２４）のうち、少なくとも１つの制御が実行される。これにより、複数のサーバ１０１〜１０ｎを切り替えて使用する情報システム１００において、ユーザに対し通知を必要とする情報を速やかに認識させることができる。
【００４４】
また、実施例１に係る情報システム１００によれば、切替装置３０がサーバ１０１〜１０ｎから受信するコマンドは、サーバ１０１〜１０ｎと切替装置３０と間の通信インターフェースに基づいて定められる。図３及び図４で示したように、データサイズの小さいコマンドを用いることにより、切替装置３０の本来の機能（現在選択中のサーバとコンソールユニット２０とのデータの送受信）への干渉を抑制しつつ、ユーザへの通知を行うことができる。
【実施例２】
【００４５】
実施例２は、複数のサーバがネットワークから所定の情報を受信した場合の例である。
【００４６】
図１０は、実施例２に係る切替装置の制御を示すフローチャートであり、図５におけるステップＳ２４に代わるものである。本実施例では、図５のステップＳ２２におけるサーバの自動切替設定はＯＮになっているものとする。
【００４７】
最初に、メイン制御部３２は、複数のサーバからコマンドを受信したか否かを判定する（ステップＳ４０）。当該ステップでＮＯと判定された場合（すなわち、受信サーバが１つである場合）は、メイン制御部３２は、サーバ切替制御部３４に命令し、コンソールユニット２０の接続先を当該受信サーバへと切り替える（ステップＳ４１）。
【００４８】
コマンド受信先の受信サーバが複数ある場合、メイン制御部３２は、サーバ切替制御部３４及びＯＳＤ制御部３６に命令して、複数の受信サーバのうち最も番号が小さいサーバをスキャンする（ステップＳ４２）。ここで、「スキャン」とは、受信サーバの表示画面をディスプレイ２２に順番に表示させる処理を指し、このとき表示された受信サーバに対しては、マウス２４及びキーボード２６からの入力操作を受け付けないものとする。なお、サーバの番号は、図６に示すように、サーバが接続される切替装置３０のポート番号に応じて割り当てられている。
【００４９】
次に、メイン制御部３２は、ユーザがサーバの選択操作を行ったか否かを判定する（ステップＳ４４）。ここで、サーバの選択操作とは、複数の受信サーバのうちいずれか１つを、コンソールユニット２０の接続先として確定させるための操作を指すものとする。本実施例では、接続したい一の受信サーバの表示中に、所定のキー（例えば、Ｅｎｔｅｒキー）を入力することを選択操作とするが、これ以外の方法を選択操作として設定することも可能である。
【００５０】
サーバの選択操作が行われたと判定された場合、メイン制御部３２は、サーバ切替制御部３４に命令して、対象となる受信サーバを、コンソールユニット２０の接続先として選択する（ステップＳ５２）。前述のように、本実施例では、Ｅｎｔｅｒキーが入力された時点で、表示中の受信サーバが接続先として選択される。サーバの切替が完了したら、メイン制御部３２は、選択されなかった他の受信サーバの情報を、ＯＳＤ画面によりユーザへと表示する（ステップＳ５４）。この場合のＯＳＤ画面としては、例えば図７の形態の画面を用いることができる。
【００５１】
一方、ユーザが選択操作を行わなかった場合（ステップ４４でＮＯと判定された場合）、メイン制御部３２は、予めスキャンに要する時間として設定された時間を経過したか否かを判定する（ステップＳ４６）。設定時間が経過した場合、メイン制御部３２は、複数の受信サーバのうち、現在スキャン中の受信サーバの次に番号が小さいサーバをスキャンし（ステップＳ４８）、ステップＳ４４の前段へと戻る。これにより、スキャンの対象が次の受信サーバへと移行する。
【００５２】
ステップＳ４６において設定時間を経過していないと判定された場合、メイン制御部３２は、ユーザによるスキャン操作がされたか否かを判定する（ステップＳ５０）。ここで、スキャン操作とは、スキャン対象となる受信サーバを変更するための操作であり、例えばマウス２４のボタンのクリックや、キーボード２６における所定のキーの入力がこれに該当する。ステップＳ５０でスキャン操作がされたと判定された場合は、ステップＳ４８へと移行し、スキャン対象の受信サーバが変更される。ステップＳ５０でスキャン操作がされなかったと判定された場合は、ステップＳ４４の前段へと移行し、所定の設定時間を経過するか、ユーザによるスキャン操作がされるまで、現在スキャン中の受信サーバの画面がディスプレイ２２に表示され続ける。
【００５３】
図１１は、スキャン操作の時間の設定画面を示す図である。ＯＳＤ領域２２ａには、１つの受信サーバのスキャンに要する時間として、「１０秒」「２０秒」「３０秒」の３つの選択肢が表示されている。ユーザは、例えばマウス２４によるカーソル操作やキーボード２６からの入力により、任意の設定を選択することができる。これにより、ユーザはスキャンに要する時間を任意に変更することができるため、ユーザにとっての利便性を向上させることができる。
【００５４】
実施例２に係る情報システム１００によれば、切替装置３０が複数の受信サーバからコマンドを受信した場合に、スキャンにより当該受信サーバの表示画面が順番にユーザに提示され、ユーザの入力を待ってサーバの切り替えが行われる。これにより、ユーザは受信サーバの表示画面を確認しつつ、最初に情報内容の確認を行うべき受信サーバを選択することができるため、ユーザにとっての利便性を向上させることができる。
【００５５】
実施例１〜２では、ユーザに対する通知を必要とする所定の情報の例として、メールの受信及びアップデート情報を例に説明を行ったが、上記所定の情報はこれらに限定されるものではない。例えば、チャットメッセージの受信や、ＷＥＢページの更新情報等を、上記所定の情報に含め、実施例１〜２と同様の方法でユーザに通知することも可能である。
【００５６】
以上、本発明の実施例について詳述したが、本発明は係る特定の実施例に限定されるものではなく、特許請求の範囲に記載された本発明の要旨の範囲内において、種々の変形・変更が可能である。
【符号の説明】
【００５７】
１０    サーバ
１２    記憶部
１４    制御部
１６    ネットワーク接続部
１８    コンソール接続部
２０    コンソールユニット
２２    ディスプレイ
２２ａ  ＯＳＤ領域
２４    マウス
２６    キーボード
３０    切替装置
３２    メイン制御部
３４    サーバ切替制御部
３６    ＯＳＤ制御部
３８    コンソール制御部
４０    ＬＥＤ制御部
４２    ＬＥＤ
４４    サーバ接続部
４６    ディスプレイ接続部
４８    コンソール接続部
５０    スイッチ
５２    サーバ電源確認ＬＥＤ
５４    サーバ選択ＬＥＤ
５６    通知用ＬＥＤ
８０    ネットワーク
１００  情報システム
【図１】
2014120090.tif 000003
【図２】
2014120090.tif 000004
【図３】
2014120090.tif 000005
【図４】
2014120090.tif 000006
【図５】
2014120090.tif 000007
【図６】
2014120090.tif 000008
【図７】
2014120090.tif 000009
【図８】
2014120090.tif 000010
【図９】
2014120090.tif 000011
【図１０】
2014120090.tif 000012
【図１１】
2014120090.tif 000013